(57)【要約】【課題】燃焼装置の近傍位置に配管等があっても、ドレン中和器を的確に、浴室等に容易に固定する。【解決手段】ケース４０内に、バーナの排気潜熱を回収する潜熱回収用熱交換器が設けられている給湯器１７のケース４０の前面のフロントパネル２１に、潜熱回収用熱交換器で発生するドレンを中和するドレン中和器３の取り付け部材３６を固定する。取り付け部材３６はＬ字形状に形成し、該Ｌ字形状の基端側をケース４０の下部側の位置において該ケース４０のフロントパネル２１に沿って左右方向に配設して固定し、Ｌ字形状の先端側はフロントパネル２１から前方側に突出させて配設する。この突出部位にドレン中和器３を固定する。【選択図】図１
2008275297.tif 000002
【特許請求の範囲】
【請求項１】
ケース内にバーナの排気潜熱を回収する潜熱回収用熱交換器が設けられている燃焼装置の前記ケースの前面に、前記潜熱回収用熱交換器で発生するドレンを中和するドレン中和器の取り付け部材が設けられ、該取り付け部材はＬ字形状を呈して該Ｌ字形状の基端側は前記ケースの下部側の位置において該ケースの前面に沿って左右方向に配設されて固定され、前記Ｌ字形状の先端側はケース前面よりも前方側に突出して配設されており、この突出部位に前記ドレン中和器が固定されていることを特徴とするドレン中和器の固定構造。
【請求項２】
ドレン中和器の取り付け部材は、Ｌ字形状の基端側に設けられて燃焼装置のケース前面に固定されるケース側固定板と、前記Ｌ字形状の先端側に設けられた先端側板部材とが回動自在に固定されていることを特徴とする請求項１記載のドレン中和器の固定構造。
【請求項３】
ドレン中和器の取り付け部材は、燃焼装置のケース前面に固定されるケース側固定板と、該ケース側固定板に対してＬ字形状の基端側がスライド自在に固定されるスライド部材とを有して形成されていることを特徴とする請求項１記載のドレン中和器の固定構造。
【請求項４】
ケース側固定板は、燃焼装置のケース前面に該ケース前面と左右方向にスライド自在に固定されていることを特徴とする請求項２または請求項３記載のドレン中和器の固定構造。
【請求項５】
ドレン中和器には該ドレン中和器をドレン中和器の取り付け部材に係止する係止部を備えたドレン固定板が固定され、該ドレン固定板の前記係止部を前記取り付け部材に係止した状態で前記ドレン中和器が取り付け部材に固定されていることを特徴とする請求項１乃至請求項４のいずれか一つに記載のドレン中和器の固定構造。
【請求項６】
突出部位の突出先端部には該突出先端部から先にドレン中和器が移動することを防止するストッパが設けられていることを特徴とする請求項１乃至請求項５のいずれか一つに記載のドレン中和器の固定構造。
【請求項７】
突出部位の下方側に伸延されて該突出部位を浴室床面に支持する支持部材が設けられており、該支持部材の前記浴室床面に当接する下端部には前記支持部材が浴室床面上で滑ることを防止する滑り防止部材が設けられていることを特徴とする請求項１乃至請求項６のいずれか一つに記載のドレン中和器の固定構造。
【請求項８】
ドレン中和器を底面側から支持するドレン中和器支持部材が設けられていることを特徴とする請求項１乃至請求項７のいずれか一つに記載のドレン中和器の固定構造。
【請求項９】
浴室壁に壁穴が形成され、該壁穴に燃焼装置が設置されて該燃焼装置のケース前面側は浴室内に露出させて配置され、前記ケース前面側を塞ぐ態様で浴槽が該ケース前面に近接して浴室の角部に配置されており、請求項１乃至請求項８のいずれか一つに記載のドレン中和器の固定構造により前記燃焼装置に固定されたドレン中和器が前記浴槽の前記ケース前面に対向する面に隣り合う面と浴室壁面とにより形成されるデッドスペースに配置されていることを特徴とする浴室構造。
【発明の詳細な説明】
【技術分野】
【０００１】
本発明は、潜熱回収用熱交換器で発生するドレンを中和するドレン中和器とそのドレン中和器を用いた浴室構造に関するものである。
【背景技術】
【０００２】
浴室の構造には様々なものがあるが、その代表例として、例えば図１６に示すような浴室がある。このような浴室３０は、比較的古いタイプの浴室であり、浴槽２６内の湯水の加熱には、バランス風呂釜５０等の燃焼装置が用いられ、浴室３０の外壁３９に形成された壁穴２２に、バランス風呂釜５０の給排気筒４９が設置されている。（例えば、特許文献１、参照。）。
【０００３】
ところで、風呂釜や給湯器等の燃焼装置は、その寿命が住宅の寿命よりも短いために買い換えることが行われ、近年では、燃焼装置として、潜熱回収用熱交換器を備えた、より効率の高い燃焼装置を適用することが多くなってきている。このような効率の高い燃焼装置を適用すると、環境問題やエネルギー問題を少しでも緩和できるという利点がある。なお、前記潜熱回収用熱交換器は、周知の通り、バーナの排気潜熱を回収する熱交換器であり、バーナの顕熱を回収するメインの熱交換器と共に、燃焼装置のケース内に設けられる。
【０００４】
図１５は、図１６におけるバランス風呂釜５０の代わりに、燃焼装置として、潜熱回収用熱交換器を備えた自動湯張り機能付きの給湯器１７を適用する場合の浴室構造の例であり、給湯器１７を、給排気筒４９の代わりに浴室３０の壁穴２２に設置している。このようにすると、燃焼効率を高くできるというメリットと、前記バランス風呂釜５０の配設スペースの分だけ浴槽２６を広くできるメリットとの両方を活かすことができる。
【０００５】
【特許文献１】特開平１０−３００２４１号公報
【発明の開示】
【発明が解決しようとする課題】
【０００６】
しかしながら、潜熱回収用熱交換器を備えた燃焼装置においては、該潜熱回収用熱交換器で発生する酸性のドレン（凝縮水の水滴）を回収し、中和して、燃焼装置のケース外部に排出しなければならないが、例えばマンション等の集合住宅等では、浴室３０の外壁３９がベランダ等の共有部分に面していることが多く、液状のドレンを燃焼装置のケースの下部側に流出させてベランダ等に流出させると、利用者は非常に不快な思いをすることになる。また、前記壁穴２２に燃焼装置を配置するためには、燃焼装置の大きさが限られてしまい、燃焼装置内にドレン中和器を設けることは難しい。
【０００７】
そこで、例えば図１５の鎖線に示すように、ドレンを中和するためのドレン中和器３を浴室３０内に配置し、給湯器１７から流出するドレンを、ドレン中和器３を介して、浴室３０の排水口（浴室排水口１５）に導くことが考えられる。
【０００８】
しかしながら、ドレン中和器３を浴室壁面にねじ等により固定すると、ねじ等を誤って防水パンに打ってしまった場合に、防水パンから水漏れが生じるおそれがある。また、給湯器１７等の燃焼装置で発生したドレンをドレン中和器３に的確に導くためには、ドレン中和器３のドレン導入口を燃焼装置のドレン排出口よりも下側に設けなくてはならないために、ドレン中和器３の取り付け位置にも制約がある。
【０００９】
特に、浴槽２６の近傍位置には、浴槽２６への注湯や浴槽湯水の追い焚きのために浴槽２６に接続される管路やシャワー用の管路などが配置されるために、給湯器１７が配置される壁穴２２の近傍位置にドレン中和器３を配置できないことがあり、このような場合には、ドレン中和器３を燃焼装置から離れた位置に設けなくてはならないために、その取り付けの位置決めが非常に難しい。また、ドレン中和器３を燃焼装置から離れた位置に設ける場合には、ドレンを燃焼装置からドレン中和器３に導くための、ドレンホース等の接続路の配置や長さの設定も特に難しくなるといった問題も生じる。
【００１０】
本発明は、上記課題を解決するために成されたものであり、その目的は、燃焼装置の近傍位置にドレン中和器を設けることが困難であっても、的確な位置に、容易にドレン中和器を固定することができるドレン中和器の固定構造とその固定構造を用いた浴室構造を提供することにある。
【課題を解決するための手段】
【００１１】
上記目的を達成するために、本発明は次のような構成をもって課題を解決するための手段としている。すなわち、第１の発明のドレン中和器の固定構造は、ケース内にバーナの排気潜熱を回収する潜熱回収用熱交換器が設けられている燃焼装置の前記ケースの前面に、前記潜熱回収用熱交換器で発生するドレンを中和するドレン中和器の取り付け部材が設けられ、該取り付け部材はＬ字形状を呈して該Ｌ字形状の基端側は前記ケースの下部側の位置において該ケースの前面に沿って左右方向に配設されて固定され、前記Ｌ字形状の先端側はケース前面よりも前方側に突出して配設されており、この突出部位に前記ドレン中和器が固定されている構成をもって課題を解決する手段としている。
【００１２】
また、第２の発明のドレン中和器の固定構造は、前記第１の発明の構成に加え、ドレン中和器の取り付け部材は、Ｌ字形状の基端側に設けられて燃焼装置のケース前面に固定されるケース側固定板と、前記Ｌ字形状の先端側に設けられた先端側板部材とが回動自在に固定されていることを特徴とする。
【００１３】
さらに、第３の発明のドレン中和器の固定構造は、前記第１の発明の構成に加え、前記ドレン中和器の取り付け部材は、燃焼装置のケース前面に固定されるケース側固定板と、該ケース側固定板に対してＬ字形状の基端側がスライド自在に固定されるスライド部材とを有して形成されていることを特徴とする。
【００１４】
さらに、第４の発明のドレン中和器の固定構造は、前記第２または第３の発明の構成に加え、前記ケース側固定板は、燃焼装置のケース前面に該ケース前面と左右方向にスライド自在に固定されていることを特徴とする。
【００１５】
さらに、第５の発明のドレン中和器の固定構造は、前記第１乃至第４のいずれか一つの発明の構成に加え、前記ドレン中和器には該ドレン中和器をドレン中和器の取り付け部材に係止する係止部を備えたドレン固定板が固定され、該ドレン固定板の前記係止部を前記取り付け部材に係止した状態で前記ドレン中和器が取り付け部材に固定されていることを特徴とする。
【００１６】
さらに、第６の発明のドレン中和器の固定構造は、前記第１乃至第５のいずれか一つの発明の構成に加え、前記突出部位の突出先端部には該突出先端部から先にドレン中和器が移動することを防止するストッパが設けられていることを特徴とする。
【００１７】
さらに、第７の発明のドレン中和器の固定構造は、前記位第１乃至第６のいずれか一つの構成に加え、前記突出部位の下方側に伸延されて該突出部位を浴室床面に支持する支持部材が設けられており、該支持部材の前記浴室床面に当接する下端部には前記支持部材が浴室床面上で滑ることを防止する滑り防止部材が設けられていることを特徴とする。
【００１８】
さらに、第８の発明のドレン中和器の固定構造は、前記第１乃至第７のいずれか一つの発明の構成に加え、前記ドレン中和器の底面と該ドレン中和器の配設部の床面との間に、該ドレン中和器を底面側から支持するドレン中和器支持部材が設けられていることを特徴とする。
【００１９】
さらに、第９の発明の浴室構造は、浴室壁に壁穴が形成され、該壁穴に燃焼装置が設置されて該燃焼装置のケース前面側は浴室内に露出させて配置され、前記ケース前面側を塞ぐ態様で浴槽が該ケース前面に近接して浴室の角部に配置されており、前記第１乃至第８のいずれか一つの発明のドレン中和器の固定構造により前記燃焼装置に固定されたドレン中和器が前記浴槽の前記ケース前面に対向する面に隣り合う面と浴室壁面とにより形成されるデッドスペースに配置されていることを特徴とする。
【発明の効果】
【００２０】
本発明のドレン中和器の固定構造によれば、燃焼装置のケースの前面にドレン中和器を取り付けるためのＬ字形状の取り付け部材が設けられ、該Ｌ字形状の基端側が、前記ケースの下部側の位置において、該ケースの前面に沿って左右方向に配設されて固定され、前記Ｌ字形状の先端側はケース前面よりも前方側に突出し、この突出部位に前記ドレン中和器が固定されているので、例えば浴室内において、浴槽に接続される管路等が燃焼装置の近傍位置に設けられるといったことにより、燃焼装置の近傍位置にドレン中和器を設けることが困難であっても、前記Ｌ字形状先端側の的確な位置に、容易にドレン中和器を固定することができる。
【００２１】
また、本発明のドレン中和器の固定構造によれば、取り付け部材を介してドレン中和器を燃焼装置に固定するので、ドレン中和器を浴室壁に取り付ける場合と異なり、ドレン中和器の取り付け位置決めが容易であり、かつ、防水パンに誤ってねじを打ってしまって水漏れを生じさせるといった問題を防止することができ、ドレンホース等の配置も容易に行える。
【００２２】
また、本発明のドレン中和器の固定構造において、ドレン中和器の取り付け部材は、Ｌ字形状の基端側に設けられて燃焼装置のケース前面に固定されるケース側固定板と、前記Ｌ字形状の先端側に設けられた先端側板部材とが回動自在に固定されている構成によれば、例えば、取り付け部材を燃焼機器に取り付ける前の状態においては、ケース側固定板と先端側板部材とを折りたたんだ（重ねた）状態としておき、取り付け部材を燃焼機器に取り付けるときに、ケース側固定板と先端側板部材を相対的に回動させて、互いの成す角度を９０度または９０度程度にすることにより、取り付け部材をＬ字形状にして取り付けることができる。
【００２３】
このようにすると、取り付け部材の取り扱いが便利であり、取り付け部材の収納や出荷等におけるスペースの削減、コストカットが容易にでき、かつ、取り付け部材の燃焼機器への取り付けも容易になるというメリットがある。
【００２４】
さらに、本発明のドレン中和器の固定構造において、ドレン中和器の取り付け部材は、燃焼装置のケース前面に固定されるケース側固定板と、該ケース側固定板に対してＬ字形状の基端側がスライド自在に固定されるスライド部材とを有して形成されているものにおいては、ケース側固定板に対してＬ字形状の基端側をスライド移動させることにより、前記左右方向の位置を調節することができる。したがって、ドレン中和器を、的確な位置に固定する操作を行いやすくすることができる。
【００２５】
さらに、本発明のドレン中和器の固定構造において、ケース側固定板は、燃焼装置のケース前面に該ケース前面と左右方向にスライド自在に固定されているものにおいては、ケース側固定板をケース前面に対して左右方向にスライド移動させることにより、前記左右方向の位置を調節することができる。したがって、ドレン中和器を、的確な位置に固定する操作をより行いやすくすることができる。
【００２６】
さらに、本発明のドレン中和器の固定構造において、ドレン中和器には該ドレン中和器を取り付け部材に係止する係止部を備えたドレン固定板が固定され、該ドレン固定板の前記係止部を前記取り付け部材に係止した状態で前記ドレン中和器が取り付け部材に固定されているものにおいては、中和器固定板の係止部を取り付け部材に係止した状態で、ドレン中和器を取り付け部材に固定することにより、より一層容易に、かつ、的確にドレン中和器を燃焼装置に固定することができる。
【００２７】
さらに、本発明のドレン中和器の固定構造において、突出部位の突出先端部には該突出先端部から先にドレン中和器が移動することを防止するストッパが設けられているものにおいては、ドレン中和器が突出部位の先に移動することをストッパにより防止することによって、ドレン中和器の固定作業を行い易くでき、ドレン中和器を適切に固定できる。
【００２８】
なお、発明のドレン中和器の固定構造において、ドレン中和器の固定位置が燃焼装置から離れている場合等には、取り付け部材のＬ字形状先端側にドレン中和器の自重がかかることにより、取り付け部材や該取り付け部材の燃焼装置への取り付け部に大きめの力が加わりやすい。
【００２９】
それに対し、本発明のドレン中和器の固定構造において、突出部位の下方側に伸延されて該突出部位を浴室床面に支持する支持部材が設けられており、該支持部材の前記浴室床面に当接する下端部には滑り防止部材が設けられているものにおいては、滑り防止部材を設けることにより、支持部材を浴室床面に安定的に配設することができるので、ドレン中和器の重さが突出部位にかかっても、支持部材により適切に支持することができる。したがって、取り付け部材の燃焼装置への取り付け部に、ドレン中和器の重さによりかかる負担を減らすことができる。なお、滑り防止部材に弾性部材を使用すれば、浴室床面の微妙な高さのばらつきを吸収することができ、振動などによるがたつきも防止できるため、浴室床面等を傷つけにくくなり、支持部材の位置が固定しやすくなる。
【００３０】
また、ドレン中和器を底面側から支持するドレン中和器支持部材が設けられているものにおいても、同様に、取り付け部材のＬ字形状先端側にドレン中和器の自重がかかることを抑制でき、同様の効果を奏することができる。
【００３１】
したがって、これらの支持部材やドレン中和器支持部材を設けた構成によれば、取り付け部材や該取り付け部材の燃焼装置への取り付け部に大きめの力が加わることを抑制でき、ドレン中和器の固定構造の信頼性を高めることができる。
【００３２】
さらに、本発明の浴室構造によれば、本発明のドレン中和器の固定構造を適用することにより、ドレン中和器を、燃焼装置のケース前面に対向する浴槽の面に隣り合う浴槽の面と、浴室壁面とにより形成されるデッドスペースに配置できるので、燃焼装置のケース前面に対向する浴槽の面の付近に配管等が形成されていて、燃焼装置の近傍位置にドレン中和器を設けることができない状態の浴室においても、ドレン中和器を適切に配置でき、浴室の壁穴に潜熱回収用熱交換器付きの燃焼装置を配置して、燃焼装置による燃焼効率の良好な燃焼とドレンの適切な中和および排出とを両立できる。
【００３３】
また、本発明の浴室構造は、本発明のドレン中和器の固定構造を用いることにより、浴室壁面にドレン中和器をねじ等により固定する必要がないために、ねじ等を誤って防水パンに打ってしまって、防水パンから水漏れが生じるといったおそれはなく、ドレン中和器を容易に、かつ、的確に燃焼装置に固定でき、さらに、燃焼装置で発生したドレンをドレン中和器に導くための、ドレンホース等の接続や配置も容易に、かつ、的確に行うことができる。
【発明を実施するための最良の形態】
【００３４】
以下、本発明の実施の形態を、図面を参照して説明する。なお、本実施形態例の説明において、これまでの説明に示した例と同一名称部分には同一符号を付し、その重複説明は省略又は簡略化する。
【００３５】
図１には、本発明に係るドレン中和器の固定構造の第１実施形態例の構成が模式的に示されている。同図に示すように、給湯器１７のケース４０の前面のフロントパネル２１には、給湯器１７のケース４０内に設けられた潜熱回収用熱交換器（図１には、図示せず）で発生するドレンを中和するドレン中和器３の取り付け部材３６が設けられている。
【００３６】
該取り付け部材３６は金属製であり、Ｌ字形状を呈し、浴室３０の内壁面３１に沿って配置されている。このＬ字形状の基端側は、前記ケース４０の下部側の位置において、該ケース４０のフロントパネル２１に沿って左右方向に配設されて固定され、前記Ｌ字形状の先端側はケース４０のフロントパネル２１よりも前方側に突出して配設されており、この突出部位にドレン中和器３が固定されている。
【００３７】
取り付け部材３６は、ケース側固定板２４とスライド部材５６とを有している。ケース側固定板２４は、取り付け部材３６のＬ字形状の基端側に設けられており、長穴５７を有している。ケース側固定板２４は、長穴５７を介して給湯器１７のケース４０のフロントパネル２１に螺合されるねじ５９によって、フロントパネル２１に、左右方向にスライド自在に固定される。また、スライド部材５６は、長穴５８を有している。スライド部材５６は、長穴５８を介してケース側固定板２４に螺合されるねじ６０によって、Ｌ字形状の基端側がケース側固定板２４に対してスライド自在に固定される。
【００３８】
図２（ａ）に示すように、ドレン中和器３には、該ドレン中和器３を取り付け部材３６に係止する係止部４５を備えた中和器固定板４６が固定され、中和器固定板４６の係止部４５を前記取り付け部材３６のスライド部材５６の先端側に係止した状態で、ねじ５５によって、図１に示したように、スライド部材５６の先端側に固定されている。スライド部材５６には、ストッパ５３が形成され、ドレン中和器３は、ストッパ５３により前方向の移動が防止されている。
【００３９】
また、浴室３０の床面７２側には、ドレン中和器３を底面側から支持するドレン中和器支持部材６１が設けられている。本実施形態例において、ドレン中和器支持部材６１は、ドレン中和器３への取付部６２とボルト６３とを有している。取付部６２をドレン中和器３に取り付け、ボルト６３を調節し、取付部６２から下方に突出するボルト６３の下端までの長さをドレン中和器３の底面と該ドレン中和器３の配設部の床面との間隔に合うように調節することによって、ドレン中和器３をボルト６３で底面側から支持するように構成されている。なお、取付部６２は中和器取り付け板４６と一体化されていてもよく、また、ボルト６３の代わりに、長穴でスライドできるような板を設けてビス止めしてもよく、ドレン中和器支持部材６１の構成は適宜設定されるものである。
【００４０】
また、給湯器１７の下側には、ゴム製のドレンホース４７が、樹脂製のＬコネクタ４８を介して、給湯器１７とドレン中和器３とに接続されて設けられている。なお、Ｌコネクタ４８は、金属製としてもよい。このドレンホース４７とＬコネクタ４８は、給湯器１７で発生するドレンを、ドレン管４４からドレン中和器３に導くものである。給湯器１７とドレンホース４７との接続部と、ドレンホース４７とＬコネクタ４８との接続部と、ドレンホース４７とドレン中和器３との接続部には、それぞれ、金属製のホースクリップ５１が設けられている。
【００４１】
本実施形態例は、図１５に示した例と同様に、浴室壁としての外壁３９に形成された壁穴２２に、燃焼装置としての給湯器１７を設置しており、図１に示したように、ケース４０の前面とフロントパネル２１を浴室３０内に露出させて配置している。なお、図１においては、給湯器１７の外観全体の斜視図を示しているが、実際には、給湯器１７は、ケース４０の前面とフロントパネル２１のみが浴室３０内に露出しており、給湯器１７の側面は浴室３０からは見えない設置構成と成している。
【００４２】
また、図３、図４に示すように、フロントパネル２１側を塞ぐ態様で、浴槽２６が、フロントパネル２１に近接して浴室３０の角部に配置されており、図３に示すように、給湯器１７に固定されたドレン中和器３が、浴槽２６のフロントパネル２１に対向する面に隣り合う面と浴室壁面３１とにより形成されるデッドスペースＣに配置されている。
【００４３】
本実施形態例において、ドレン中和器３を給湯器１７に固定する作業は、例えば以下のようにして行われる。すなわち、予めドレン中和器３に中和器固定板４６を固定しておき、給湯器１７のフロントパネル２１には、取り付け部材３６のケース側固定板２４を、左右方向の位置調整をして、ねじ５９で固定し、このケース側固定板２４とスライド部材５６との左右方向の位置調整をして、ねじ６０で固定する。その後、中和器固定板４６を取り付け部材３６の先端側に係止部４５を係止して引っかけ、ねじ５５で中和器固定板４６を取り付け部材３６の先端側に固定することにより、ドレン中和器３を給湯器１７に固定する。また、その後、ドレンホース４７の接続を行う。
【００４４】
なお、本発明において、適用される給湯器１７やドレン中和器３の構成は特に限定されるものではなく適宜設定されるものであるが、例えばドレン中和器３は、ポリプロピレン等の樹脂により形成され、酸性のドレンを中和するための中和剤が収容されたドレン貯留室１４を有し、ドレン貯留室１４の一方側の側部がわには、ドレン貯留室１４にドレンを導入するドレン導入部１２が、他方側の側部がわには、ドレン貯留室１４を通ったドレンを外部に排水するドレン排出部１３が設けられている。ドレン導入部１２に前記ドレンホース４７が接続されており、ドレン排出部１３は、例えば適宜の接続手段を介して浴室排水口に導かれる。
【００４５】
また、本実施形態例では、図４に示すような構成の給湯器１７を適用しており、以下、この給湯器１７の構成を、その配管構成を省略した図４の模式図に基づいて説明する。この給湯器１７は、横方向の長さが縦方向に長さよりも大きく形成されており、器具ケース４０内には燃焼室２０が設けられている。燃焼室２０内には、バーナ１と、バーナ１の上側に配置されてバーナ１の燃焼ガス中の顕熱を回収するメインの熱交換器（一次熱交換器）４と、このメインの熱交換器４よりも前記燃焼ガスの流れの下流側に位置をずらして並設配置された潜熱回収用熱交換器（二次熱交換器）６とが設けられている。潜熱回収用熱交換器６は、燃焼ガスの顕熱および潜熱を回収する。
【００４６】
また、バーナ１の燃焼の給排気を行なう燃焼ファン５が設けられており、前記バーナ１にはバーナ１に燃料を供給するガス管（図示せず）が接続されている。この給湯器１７は、燃焼ファン５の回転によって外部より吸気する空気を、図の矢印に示すように、送風室２５を介してバーナ１に送り、この空気と、前記ガス管を通って供給されるガスとによってバーナ燃焼を行う。このバーナ燃焼により生じた燃焼ガスは、燃焼ファン５の回転によって、燃焼室２０から排気口８側に送って排気される。
【００４７】
また、水供給源からの水が潜熱回収用熱交換器６に導かれ、この水が、潜熱回収用熱交換器６とメインの熱交換器４を順に通して加熱され、メインの熱交換器４の出口側に接続された給湯管（図示せず）を通して浴室３０内のシャワー４１の出湯口や台所等に導かれて給湯される。また、給湯管に浴槽２６への注湯通路を接続することにより、浴槽２６への自動湯張りが可能となり、追い焚き回路を設けることにより、浴槽湯水の追い焚きも可能となる。なお、バーナ１の燃焼と、燃焼ファン５の回転は、予め与えられたシーケンスプログラムにしたがって制御されるものであり、前記給湯や自動湯張り、追い焚き等の各動作については、周知であるので、その説明は省略する。
【００４８】
前記潜熱回収用熱交換器６による燃焼ガスの潜熱回収は、水蒸気を含んだ燃焼ガスを飽和温度以下の低温伝熱面に接触させて燃焼ガス中の水蒸気を凝縮させることにより行われる。すなわち、水蒸気が凝縮する際に発生する凝縮潜熱を回収するものであり、通常は、燃焼ガスとして給湯器１７等の燃焼系の外に排出されてしまう燃焼ガスの水蒸気の持つエンタルピーを回収するものである。
【００４９】
このように、潜熱回収用熱交換器６を備えた給湯器においては、バーナ１の燃焼による燃焼ガスが潜熱回収用熱交換器６を通るときに、潜熱回収用熱交換器６内の水管を通る水が、燃焼ガス中の水蒸気の保有潜熱を奪い、さらに、その水がメインの熱交換器４を通るときに、バーナ１の燃焼火力でもって加熱されて設定温度の湯が作り出される。
【００５０】
そのため、潜熱回収用熱交換器６を設けることにより、熱効率を向上させることができる。なお、潜熱回収用熱交換器６で発生するドレン（凝縮水の水滴）は、例えば受け皿４３にたまり、ドレン管４４を介して器具ケース４０の外部に排出され、ドレンホース４７等を介してドレン中和器３に導入される。
【００５１】
本実施形態例は以上のように構成されており、給湯器１７のフロントパネル２１に対向する浴槽２６の面の付近に配管等が形成されていて、ドレン中和器３を給湯器１７の近傍位置に設けることができなくても、ドレン中和器３を、フロントパネル２１に対向する浴槽２６の面に隣り合う面側（図３の内壁面３１ａ側）に適切に配置でき、給湯器１７による燃焼効率の良好な燃焼とドレンの適切な中和および排出とを両立できる。
【００５２】
また、本実施形態例では、ドレン中和器３を、取り付け部材３６を介して給湯器１７に固定しているので、ドレン中和器３を浴室壁面に取り付ける場合と異なり、ドレン中和器３の取り付けの位置決めが容易であり、防水パンに誤ってねじを打ってしまって水漏れを生じさせるといった問題も防止することができ、ドレンホース４７の配置も容易に行え、ドレン中和器３を適切に固定することができる。
【００５３】
次に、本発明に係るドレン中和器の固定構造の第２実施形態例について説明する。なお、第２実施形態例の説明において、前記第１実施形態例と同一名称部分には、同一符号を付し、その重複説明は省略または簡略化する。図５には、第２実施形態例のドレン中和器の固定構造が模式的な斜視図により示されており、図６には、この第２実施形態例において、ドレン中和器３とドレンホース４７を外した状態の図が示されている。
【００５４】
これらの図に示されるように、第２実施形態例は、前記第１実施形態例と同様に、給湯器１７のケース４０の前面のフロントパネル２１に、ドレン中和器３の取り付け部材３６を設けており、取り付け部材３６は金属製でＬ字形状を呈し、浴室３０の内壁面３１に沿って配置されているが、第２実施形態例では、取り付け部材３６のＬ字形状の基端側と先端側とが、いずれも直線状の金属板３６ａ，３７ａを有して形成されている。
【００５５】
金属板３６ａは、給湯器１７のフロントパネル２１に固定されるケース側固定板であり、Ｌ字形状の基端側に設けられている。また、金属板３７ａは、前記Ｌ字形状の先端側に設けられた先端側板部材であり、金属板３７ａの基端側が、金属板３６ａの先端側に回動自在に固定されている。金属板３７ａはフロントパネル２１より前方に突出した突出部位と成し、この突出部位にドレン中和器３が固定されている。
【００５６】
図７に示すように、金属板３７ａは、基端側にＬ字形状部位を有しており、金属板３６ａの先端側が、金属板３７ａの基端側のＬ字形状部位に挟まれる態様で配置されている。金属板３６ａは、ねじ穴６６，６７に螺合されたねじ７５により、金属板３７ａに固定されている。
【００５７】
また、第２実施形態例では、第１実施形態例に設けたドレン中和器支持部材６１を設ける代わりに、金属製の支持部材８０を取り付け部材３６の先端側に固定配置している。支持部材８０は、取り付け部材３６の金属板３７ａ（突出部位）から下方側に伸延されて金属板３７ａを浴室床面７２に支持するものである。支持部材８０は、金属板３７ａの先端部に形成された支持部材固定部７１に固定されており、支持部材８０の浴室床面７２に当接する下端部には、ゴム製の滑り防止部材８１が設けられている。
【００５８】
本実施形態例において、滑り防止部材８１は、ゴム製の弾性部材により形成されており、このように、滑り防止部材８１に弾性部材を使用すれば、浴室床面７２の微妙な高さのばらつきを吸収することができ、振動などによるがたつきも防止できるため、浴室床面７２等を傷つけにくくなり、支持部材８０の位置が固定しやすくなるので好ましい。また、滑り防止部材６１は、耐水性や可塑性の溶出しにくい材料が好ましい。なお、滑り防止部材８１は、ゴム以外でも、弾性プラスチックでもよく、また、弾性部材でなくてもよい。
【００５９】
前記支持部材８０の背板部８０ａには、長手方向（上下方向）に伸設されたスリット６９が形成されており、このスリット６９にねじ７３が挿入された状態で、ねじ７３がねじ穴６５に螺合している。このことによって、支持部材８０における金属板３７ａよりも下方側に伸延される部分の長さを自在に調節した状態で、支持部材８０が支持部材固定部７１に固定されている。
【００６０】
また、図８に示すように、ドレン中和器３には、該ドレン中和器３を取り付け部材３６の金属板３７ａに係止する係止部４５を備えた中和器固定板４６が、固定部２７でねじ５５により固定されている。ドレン中和器３は、中和器固定板４６の係止部４５を金属板３７ａに係止した状態で、図５に示したように、ねじ５４によって金属板３７ａに固定されている。金属板３７ａの先端側には、図６、図７に示すように、ストッパ５３が形成され、ドレン中和器３は、ストッパ５３により前方向の移動が防止されている。
【００６１】
なお、第２実施形態例において、ドレン中和器３は、図８、図９に示すように形成されており、ドレン導入部１２から導入されるドレンを、ドレン貯留室１４内に設けられた中和剤によって中和して、この中和されたドレンをドレン排出部１３から排出する。ドレン導入部１２には、浴室壁３１の角部に対応させる曲がり部を有するドレンホース４７の一端側が接続されている。ドレンホース４７と給湯器１７との接続形態は、第１実施形態例と同様である。
【００６２】
第２実施形態例は、以上のように構成されており、第２実施形態例も、前記第１実施形態例と同様の効果を奏することができる。
【００６３】
図１０（ｃ）には、前記第２実施形態例のドレン中和器の固定構造の変形例における取り付け部材３６の構成が平面図により示されている。同図に示す取り付け部材３６は、第２実施形態例に適用した取り付け部材３６と同様に、金属板３６ａ，３７ａを有して構成されているが、金属板３７ａの基端側のＬ字形状部位に、ねじ穴６６の代わりに、クランク状のスリット７０を形成している。
【００６４】
この例は、金属板３７ａにクランク状のスリット７０を形成することにより、以下のようなメリットがある。つまり、取り付け部材３６を給湯器１７等の燃焼装置に取り付ける前には、図１０（ａ）に示すように、取り付け部材３６を折りたたんだ状態（金属板３６ａと金属板３７ａとを重ねて配置した状態）とし、取り付け部材３６を給湯器１７等に取り付ける場合には、図１０（ｂ）、図１０（ｃ）に順に示すように、取り付け部材３６を開いていくことにより、取り付け部材３６の組み立てを容易に行うことができる。
【００６５】
つまり、図１０（ａ）に示すように、スリット７０のＡの位置に螺合しているねじ７５を緩め、図１０（ｂ）に示すように、ねじ７５の位置がスリット７０のＢの位置になるように、金属板３６ａをスライド移動していき、スリット７０のＢの位置のねじ７５を支点として金属板３６ａを回転させる。そして、図１０（ｂ）の破線Ｌに示すように、金属板３７ａと金属板３６ａとの成す角度が９０度になるようにしてから、図１０（ｃ）に示すように、ねじ７５の位置がスリット７０のＣの位置になるように、金属板３６ａを移動させて、この位置でねじ７５を締め直し、金属板３６ａと金属板３７ａとを固定する。
【００６６】
なお、引っ越し等による燃焼装置の移動等に伴い、取り付け部材３６を燃焼装置から取り外して収納する際には、前記の手順と逆の手順により、図１０（ａ）に示すようにして収納することができる。
【００６７】
また、図１０に示す構成の取り付け部材３６は、例えば図１０（ｂ）の実線の位置のように、金属板３６ａ，３７ａの成す角度を９０度未満とした状態で、金属板３６ａ，３７ａを互いに固定することもできる。さらに、図１０（ｄ）に示すように、ねじ７５の位置がスリット７０のＤの位置になるように、金属板３６ａをスライド移動させて、このねじ７５を支点として金属板３６ａを回転させると、金属板３６ａ，３７ａの成す角度を９０度よりも大きな角度とした状態で、金属板３６ａ，３７ａを互いに固定することもできる。
【００６８】
なお、金属板３６ａ，３７ａの成す角度を、９０度未満、または９０度よりも大きく、１８０度未満の角度とした状態で金属板３６ａ，３７ａを互いに固定する時には、例えば、図１０（ｂ）の破線に示すような固定板８３を設ける等、その固定状態を維持するための構成を設けるとよい。
【００６９】
また、図１０の例において、クランク状の溝７０を形成する代わりに、別途、回転軸を設定して、ビス穴の幅で円弧を描くような溝を一つ以上形成してもよい。さらに、ドレン取り付け部材３６は、複数の曲がり部分を有する構成として、Ｌ字形状の角度を適宜形成できるようにしてもよい。
【００７０】
さらに、図１１（ａ）、（ｂ）には、取り付け部材３６を、２つの金属板３６ａ，３７ａを有する構成とする別の例が示されている。なお、これらの例は、蝶番７７を介して、金属板３６ａ，３７ａを接続する例であり、図１１（ａ）、（ｂ）において、金属板３６ａ，３７ａは、蝶番７７近傍のみ示している。また、これらの図において、金属板３６ａ，３７ａの成す角度は、いずれも９０度と成しているが、金属板３６ａ，３７ａの成す角度は、自在に変形可能と成している。
【００７１】
図１１（ａ）に示す例は、金属板３６ａと金属板３７ａとの成す角度を維持するために、直線状の固定板８３を設けた例である。固定板８３の一端側をねじ７８により金属板３６ａに固定し、また、固定板８３の他端側には、固定板８３の長手方向に伸びるスリット８４を形成し、スリット８４を介して、固定板８３をねじ７９により金属板３７に固定している。この構成においては、スリット８４を介してねじ７９による固定を行うことにより、金属板３６ａと金属板３７ａとの成す角度を自在に変えることができる。
【００７２】
また、図１１（ｂ）に示す例は、金属板３６ａと金属板３７ａとの成す角度を維持するために、Ｌ字形状に曲げて形成した固定板８３を設けた例である。この固定板８３の曲がり部の角度を適宜設定し、その角度に対応させて、金属板３６ａと金属板３７ａとの成す角度を形成し、固定板８３を、ねじ７８，７９により、それぞれ、金属板３６ａ，３７ａに固定することにより、金属板３６ａと金属板３７ａとの成す角度を自在に設定した状態で、固定することができる。
【００７３】
なお、本発明は前記各実施形態例に限定されることはなく、様々な態様を採り得る。例えば、前記各実施形態例では、ドレン中和器３に中和器固定板４６を予め固定し、中和器固定板４６を取り付け部材３６の先端側に係止部４５を係止して引っかけてドレン中和器３を取り付け部材３６に固定したが、ドレン中和器３の取り付け部材３６への固定構造は特に限定されるものではなく、例えば中和器固定板４６を設けずに、ドレン中和器３を直接、取り付け部材３６に固定してもよい。
【００７４】
また、前記各実施形態例における取り付け部材３６に設けたストッパ５３は省略することもできる。
【００７５】
さらに、前記実施形態例では、取り付け部材３６や中和器固定板４６や支持部材８０は金属製としたが、取り付け部材３６や中和器固定板４６や支持部材８０は、金属以外の樹脂等により形成してもよく、その形状も適宜設定されるものである。
【００７６】
さらに、前記第１実施形態例では、取り付け部材３６は、ケース側固定板２４とスライド部材５６とを有する構成とし、前記第２実施形態例では、取り付け部材３６は、金属板３６ａ，３７ａを有する構成としたが、取り付け部材３６はＬ字形状を呈する１つの部材により形成してもよい。この場合、Ｌ字形状の基端側を、燃焼装置のケース４０のフロントパネル２１に、該フロントパネル２１と左右方向にスライド自在に固定してもよいし、互いに長さの異なる複数の取り付け部材３６を用意しておき、燃焼装置やドレン中和器３の配設場所に応じて適宜の取り付け部材３６を設けてドレン中和器３を固定してもよい。
【００７７】
さらに、前記各実施形態例では、ドレン中和器３の取り付け部材３６のＬ字形状先端側を、給湯器１７の左側（向かって右側）の位置において前方に突出させるようにしたが、その逆に、Ｌ字形状先端側を、給湯器１７の右側（向かって左側）の位置において前方に突出させるようにしてもよい。例えば、図１２には、前記第２実施形態例と同様の構成において、Ｌ字形状先端側を、給湯器１７の右側の位置において前方に突出させたものである。このように、Ｌ字形状の先端側を左右どちらの方向から前方側に突出させるかに応じ、ドレン中和器３の構成や、その取り付け構成を適宜設定すればよい。
【００７８】
さらに、前記第１実施形態例では、ドレン中和器支持部材６１は、ドレン中和器３の端部側に設けた取付部６２とボルト６３とを設けて形成したが、ドレン中和器支持部材６１は、例えばドレン中和器３の取り付け部材３６のＬ次形状の先端側の厚みよりも内側に（図２（ｂ）に示す、図１のＢ矢視図における、破線Ａよりも左側に）はみ出さないようにボルト６３を設けて形成すればよい。つまり、ボルト６３を、ドレン中和器３の略中央部（ドレンが入っているときの重心の略中央部）から下側に突出させて設けてもよいし、中和器固定板４６や取り付け部材３６に設けてもよいし、重心を挟んで２箇所以上の箇所に設けてもよい。
【００７９】
さらに、前記第１実施形態例では、ドレン中和器支持部材６１を設けたが、ドレン中和器支持部材６１は省略することができる。この場合、例えば、前記第２実施形態例のように、取り付け部材３６に、支持部材８０を設けてもよい。
【００８０】
さらに、前記第２実施形態例のように、支持部材８０を設ける場合に、その下端に設ける滑り防止部材８１は、図１３に示すように、支持部材８０に対して斜めに傾けて設ける態様としてもよい。このような配置態様は、同図に示すように、浴室３０の壁部の下端側が大きく斜めに傾いて形成されている場合には、ドレン中和器３の固定構造を、ドレン中和器３をより安定して固定できる構造とすることができる。
【００８１】
さらに、前記第２実施形態例では、金属板３７ａの先端部に、下方側に伸延された支持部材８０を設けたが、ドレン中和器３の取り付け位置によっては、支持部材８０を、はみ出し伸設部位３７の先端部ではなく、はみ出し伸設部位３７の途中部に設けてもよい。
【００８２】
また、前記第２実施形態例および、図１２に示した構成において、支持部材８０を設けたが、支持部材８０をドレン中和器３に直接取り付けてもよいし、ドレン中和器３に取り付け部材３６を内包して一体成型する態様としてもよい。また、支持部材８０を設けずに、前記第１実施形態例のように、ドレン中和器支持部材６１を設けてもよいし、これらの支持部材をいずれも設けない態様とすることもできる。
【００８３】
さらに、本発明の浴室構造は、例えば図１４の（ａ）〜（ｄ）にそれぞれ示されるＡまたはＢの位置に給湯器１７等の燃焼装置を配置して、そのケース前面側を塞ぐ態様で、浴槽２６をケース前面に近接させて浴室３０の角部に配置し、燃焼装置に固定されたドレン中和器３を浴槽２６のケース前面に対向する面に隣り合う面と浴室壁面３１とにより形成されるデッドスペースに配置して形成されるものである。例えば図１４（ａ）のＡに燃焼装置を配置した場合は、図のＣ１またはＣ２で示す位置にドレン中和器３が配置され、図１４（ｂ）〜（ｄ）においても同様に、ドレン中和器３が適宜のデッドスペースに適切に配置される。
【００８４】
さらに、前記実施形態例では、図２や図８に示したようなドレン中和器３を、図４に示したような給湯器１７に固定する例を述べたが、本発明のドレン中和器の固定構造を適用するドレン中和器や、そのドレン中和器を固定する燃焼装置は特に限定されるものでなく、適宜設定されるものである。
【００８５】
例えば燃焼装置は、風呂釜や、給湯器と風呂釜の両方の機能を備えた複合給湯器等、潜熱回収用熱交換器を備えて、ドレンを発生する適宜の燃焼装置を適用することができ、その燃焼方式も石油燃焼式でもよく、様々な燃焼装置にドレン中和器３を接続してドレン中和器の固定構造を形成することができる。
【図面の簡単な説明】
【００８６】
【図１】本発明に係るドレン中和器の固定構造の第１実施形態例を浴室への配置状態で模式的に示す説明図である。
【図２】第１実施形態例におけるドレン中和器の中和器取り付け部材への固定方法を模式的に示す説明図（ａ）と、図１のＢ矢視図である。
【図３】第１実施形態例におけるドレン中和器の浴室内での配置位置を浴槽と共に示す説明図である。
【図４】ドレン中和器を接続する給湯器の構成例を浴室壁穴に配置した状態で模式的に示す説明図である。
【図５】本発明に係るドレン中和器の固定構造の第２実施形態例を浴室への配置状態で模式的に示す説明図である。
【図６】第２実施形態例のドレン中和器の固定構造において、ドレン中和器を外した状態を示す説明図である。
【図７】第２実施形態例のドレン中和器の固定構造における取り付け部材と支持部材の固定構造を説明するための図である。
【図８】第２実施形態例におけるドレン中和器の中和器固定板への固定構造を模式的に示す説明図である。
【図９】第２実施形態例におけるドレン中和器とドレンホースの接続構造を示すための説明図であり、（ａ）は斜視図、（ｂ）は図５のＢ矢印方向から見た図、（ｃ）は図５のＣ矢印方向から見た図である。
【図１０】第２実施形態例の取り付け部材の変形を示す説明図である。
【図１１】本発明のドレン中和器の固定構造に適用される取り付け部材の別の例を示す説明図である。
【図１２】本発明に係るドレン中和器の固定構造の他の実施形態例を示す説明図である。
【図１３】本発明のドレン中和器の固定構造の他の実施形態例に適用される支持部材と滑り防止部材の配置構成例を示す説明図である。
【図１４】本発明の浴室構造の例を、ドレン中和器を省略して説明する模式図である。
【図１５】給湯器にドレン中和器を接続して浴室内に配置する構成を説明するための模式図である。
【図１６】浴室内にバランス風呂釜と浴槽とを並設した浴室構造例の断面説明図である。
【符号の説明】
【００８７】
１  バーナ
３  ドレン中和器
６  潜熱回収用熱交換器
１２  ドレン導入部
１３  ドレン排出部
１７  給湯器
２２  壁穴
２４  ケース側固定板
３０  浴室
３１  内壁面
３６  取り付け部材
３９  外壁
４５  係止部
４６  中和器固定板
４７  ドレンホース
５６  スライド部材
【図１】
2008275297.tif 000003
【図２】
2008275297.tif 000004
【図３】
2008275297.tif 000005
【図４】
2008275297.tif 000006
【図５】
2008275297.tif 000007
【図６】
2008275297.tif 000008
【図７】
2008275297.tif 000009
【図８】
2008275297.tif 000010
【図９】
2008275297.tif 000011
【図１０】
2008275297.tif 000012
【図１１】
2008275297.tif 000013
【図１２】
2008275297.tif 000014
【図１３】
2008275297.tif 000015
【図１４】
2008275297.tif 000016
【図１５】
2008275297.tif 000017
【図１６】
2008275297.tif 000018